(57)【要約】【課題】入浴者の載せ替えの回数を減らして入浴者および介護者の負担の軽減を図りつつ、余分にストレッチャーを準備する必要がない介護用浴槽を提供することを目的とする。【解決手段】介護用浴槽１は、床面に設置される支持架台と、この支持架台に昇降可能に設置された浴槽３と、支持架台に立設する支柱と、支柱の上端部に設けられた担架５と、担架５の下方に位置する水受盤６と、入浴者が洗浄する際に、担架５を水上へ出した状態で担架５の下方へ水受盤６を配置する可動機構であるスライド手段７とを備えている。介護用浴槽１に、入浴者を洗浄する際に洗浄水を受けるための水受盤６を備えることにより、入浴者を担架に載せた状態で洗うことができるので、入浴者の載せ替え回数を削減することができる。【選択図】  図１
2005312618.tif 000002
【特許請求の範囲】
【請求項１】
入浴者を載せる担架を備えた浴槽と、入浴者を洗浄する際に洗浄水を受けるための水受盤とを備えたことを特徴とする介護用浴槽。
【請求項２】
前記担架を水上へ出した状態で前記担架の下方へ前記水受盤を配置する可動機構を備えたことを特徴とする請求項１記載の介護用浴槽。
【請求項３】
前記可動機構は、前記水受盤を水平方向にスライドさせることを特徴とする請求項２記載の介護用浴槽。
【請求項４】
前記水受盤に、前記担架の下方へ配置する際に前記支持架台に立設された支柱に干渉しないよう切り欠き部が設けられていることを特徴とする請求項２または３記載の介護用浴槽。
【請求項５】
前記水受盤を前記担架の下方に配置した状態で、前記切り欠き部を塞ぐ脱着可能なカバーを設けたことを特徴とする請求項４記載の介護用浴槽。
【発明の詳細な説明】
【技術分野】
【０００１】
本発明は、介護が必要な入浴者を入浴させる際に使用される介護用浴槽に関する。
【背景技術】
【０００２】
病院などに入院している患者や、身体が不自由な老人や、身体障害者などが一人で入浴することができない場合は、介護者がその手助けをしながら入浴する。その際には、介護用浴槽が使用される。
【０００３】
この介護用浴槽は、床面に設置される支持架台と、この支持架台に昇降可能に設置された浴槽とを備えている。この支持架台の底面には支柱が立設され、浴槽はこの支柱に沿って昇降する。支柱の上端には担架が設けられている。この担架に入浴者を載せ、浴槽を上昇させて入浴することで、入浴者は担架に載った状態のまま入浴することができるので、入浴者への負担が軽い。
【０００４】
このような従来の介護用浴槽に入浴者を入浴させるときには、まず病院の病室や老人ホームの居室のベッドからストレッチャーと呼ばれるキャスタ付きの担架に入浴者を載せ替え、介護用浴槽が設置してある場所まで移動する。
【０００５】
そして、介護用浴槽に隣接して配置された洗い台に載せ替える。この洗い台はストレッチャーと同様に移動が容易となるようにキャスタが付いた担架であるが、入浴者を洗い台に載せた状態で洗えるように、洗浄水を受ける水受盤とこの水受盤から洗い湯を排水する排水ホースなどが設けられている。洗い台に載せ替えられた入浴者は、ここで介護者により体が洗われ、最後に洗い台から介護用浴槽に設けられた担架に載せ替えられて入浴する。
【０００６】
このように、入浴者は、ベッドからストレッチャーへ、ストレッチャーから洗い台へ、そして洗い台から介護用浴槽へと、合計３回ほど載せ替えられることになる。この載せ替えは、身体が不自由な入浴者にとって体の負担となるだけでなく、入浴者を抱えて載せ替える介護者にとっても腰痛の原因となるなど負担となっている。また、入浴者を載せ替える際には、介護者が入浴者を抱えたりして非常に不安定である。このような状態は、介護者の転倒などを危惧して入浴者の不安感が増大する。従って、入浴者を載せ替える回数を減らすということは重要な問題である。
【０００７】
入浴者の載せ替え回数を減らすことが可能なストレッチャーが特許文献１に記載されている。この特許文献１に記載のストレッチャーは、入浴者を載せる担架の下方に配置され、入浴者を洗浄する際に入浴者から垂れる洗浄水を受けるための水受盤と、介護用浴槽に入浴する際に、水平方向へ担架をスライドさせるスライド手段とを備えている。
【０００８】
特許文献１に記載のストレッチャーを使用する場合には、ベッドからストレッチャーへ入浴者を載せ替えて介護用浴槽が設置してある場所まで移動して隣接させ、入浴者をこの状態のまま洗い、そして担架をスライドさせて介護用浴槽の担架へ載せ替える。このようにストレッチャーと洗い台を兼ねることで、入浴者の載せ替えの回数を２回とすることができる。
【特許文献１】特開平１１−１０４２０５号公報
【発明の開示】
【発明が解決しようとする課題】
【０００９】
上述したように、特許文献１のストレッチャーは、洗い台を兼ね、担架がスライドすることで、入浴者を介護用浴槽へ入浴させる際の載せ替え回数を減らし、入浴者への負担を軽減するものである。
【００１０】
しかし、ストレッチャーに入浴者が載った状態で洗浄を行うので、ストレッチャーの担架が洗浄水で濡れてしまう。つまり、洗浄水で濡れた状態となった担架に、介護用浴槽で入浴した後の入浴者が載ることになる。従って、入浴後に介護者が入浴者の体を拭いても、担架が濡れた状態なので、入浴者の体が再び濡れてしまう。また、担架に接触した体の部分が湿った感じとなるので不快である。
【００１１】
また、入浴者を洗浄する際に垂れる水を受ける水受盤に溜まった水を排水しても、全てを排水できず、少なからず洗浄水が残ることが想定される。従って、入浴後の入浴者が病室や居室のベッドへ戻る際には、洗浄水が水受盤に残った状態のストレッチャーで移動することになる。そうなると、移動中に水受盤に残った洗浄水が廊下や部屋の床に垂れたり飛散したりするので清掃が必要となる。
【００１２】
このように、入浴後の入浴者を、湿ったストレッチャーへ再び載せ替えることで、入浴者に不快感を与えたり、移動中に周囲に洗浄水が落ちないようにするためには、別の新たなストレッチャーを準備する必要があり、余分な設備を準備することとなる。
【００１３】
そこで本発明は、入浴者の載せ替えの回数を減らして入浴者および介護者の負担の軽減を図りつつ、余分なストレッチャーを準備する必要がない介護用浴槽を提供することを目的とする。
【課題を解決するための手段】
【００１４】
本発明の介護用浴槽は、入浴者を載せる担架を備えた浴槽と、入浴者を洗浄する際に洗浄水を受けるための水受盤とを備えたことを特徴とする。
【００１５】
介護用浴槽に、入浴者を洗浄する際に洗浄水を受けるための水受盤を備えることにより、入浴者を担架に載せた状態で洗うことができるので、入浴者の載せ替え回数が、ベッドからストレッチャー、ストレッチャーから介護用浴槽の担架の２回で完了する。従って、入浴者の載せ替え回数を削減することができる。また、介護用浴槽に設けた担架で入浴者の洗浄を行うので、ストレッチャーが洗浄の際の洗浄水で濡れることがない。
【００１６】
前記担架を水上へ出した状態で前記担架の下方へ前記水受盤を配置する可動機構を備えるのが望ましい。
【００１７】
可動機構を備えることで、入浴者を洗浄するに際し、水受盤を移動させて担架の下方へ容易に配置することができる。可動機構は、水受盤が洗浄水を受け浴槽に入らないように担架の下方に配置できればよいので、水受盤を水平方向に移動させたり、円弧を描くように移動させたりするものでもよい。
【００１８】
前記可動機構は、前記水受盤を水平方向にスライドさせるのが望ましい。可動機構が、水受盤を水平方向へスライドさせるものであれば、床面と平行して水受盤を移動させることができるので、車輪などを備えたスライド機構とすることで、大きな力を必要とせずに、水受盤を移動させることができる。
【００１９】
また、水受盤を水平方向に移動させることにより、入浴者を担架に載せたそのままの状態で水受盤を浴槽の側方へスライドさせ、入浴者を入浴させることができる。
【００２０】
前記水受盤に、前記担架の下方へ配置する際に、前記支持架台に立設された支柱に干渉しないよう切り欠き部を設けるのが望ましい。
【００２１】
切り欠き部を設けることで、水受盤を浴槽の担架の下方に位置させた状態でも、支柱と水受盤が干渉しないので、受水盤を担架より広く形成することができる。
【００２２】
また、前記水受盤を前記担架の下方に配置した状態で、前記切り欠き部を塞ぐ脱着可能なカバーを設けるのが望ましい。
【００２３】
担架に入浴者を載せた状態で入浴者を洗浄するに際し、水受盤の切り欠き部にカバーを付けると、この切り欠き部から洗浄水が浴槽内に漏れることを防止することができる。このカバーは、切り欠き部を覆う広さを有していればよいので、水受盤全体の広さを有するものであっても、切り欠き部の部分のみを覆う広さであってもよい。
【００２４】
また、カバーは、脱着可能であればよいので、切り欠き部に嵌合するようにカバーを取り付けるものであっても、切り欠き部を上から載置して覆うようにして塞ぐものであってもよい。このようにカバーを形成することで、水受盤を水平方向にスライドさせる際に不要となっても、容易に取り外すことができる。
【発明の効果】
【００２５】
本発明によれば次の効果を奏する。
【００２６】
（１）入浴者を載せる担架を備えた浴槽と、入浴者を洗浄する際に洗浄水を受けるための水受盤とを備えたことにより、入浴者の載せ替え回数を削減することができる。よって、入浴者や介護者の負担が軽減できる。また載せ替えがある度に増大する入浴者の不安感を減らすことができる。
また、介護用浴槽で入浴者の洗浄が行えるので、入浴者を搬送するストレッチャーが洗浄の際の洗浄水などで濡れることがない。よって、入浴者が入浴を済ませた後に自室に戻る際にストレッチャーから洗浄水が垂れたり飛散したりすることがないので、ストレッチャーが通過した後の廊下や部屋などの清掃が不要である。
【００２７】
（２）担架を水上へ出した状態で担架の下方へ水受盤を配置する可動機構を備えたことにより、水受盤を容易に移動させることができるとともに、入浴の際に水受盤が邪魔にならない。
【００２８】
（３）可動機構は、水受盤を水平方向にスライドさせるものなので、床面と平行して水受盤を移動させることができる。よって、複雑な機構や、水受盤を移動させるに大きな力を必要としない。
【００２９】
（４）水受盤に、担架の下方へ配置する際に、前記支持架台に立設された支柱に干渉しないよう切り欠き部が設けられたことにより、受水盤の幅を担架の幅より広くする形成することができる。
【００３０】
（５）前記水受盤を前記担架の下方に配置した状態で、前記切り欠き部を塞ぐ脱着可能なカバーを設けたことにより、担架に入浴者を載せた状態で入浴者を洗浄するに際し、水受盤の切り欠き部にカバーを付けると、この切り欠き部から浴槽内に洗浄水が漏れることが防止できる。よって、浴槽内の湯の汚濁を防止することができる。
【発明を実施するための最良の形態】
【００３１】
以下、本発明の実施の形態に係る介護用浴槽について図面に基づいて説明する。図１は、本発明の実施の形態に係る介護用浴槽の斜視図である。図２は、本発明の実施の形態に係る介護用浴槽の平面図である。図３は、図２におけるＡ−Ａ線断面図である。図４は、図２におけるＢ−Ｂ線断面図である。図５は、図４において水受盤を担架の下方に位置させた状態の図である。図６は、水受盤を説明する図であり、（ａ）は水受盤にカバーを取り付けた状態の平面図、（ｂ）は、同図（ａ）におけるＣ−Ｃ線断面図、（ｃ）は同図（ｂ）におけるｄ部拡大図である。図７は、スライド手段を説明する図であり、（ａ）はスライドアームとスライド支持部を説明する平面図、（ｂ）は、同図（ａ）におけるＥ−Ｅ線矢視図である。
【００３２】
図１から図５に示すように、本発明の実施の形態に係る介護用浴槽１は、床面Ｆに設置された支持架台２と、この支持架台２に昇降可能に設置された浴槽３と、支持架台２に立設する支柱４と、支柱４の上端部に設けられた担架５と、担架５の下方に位置する水受盤６と、入浴者が洗浄する際に、担架５を水上へ出した状態で担架５の下方へ水受盤６を配置する可動機構であるスライド手段７とを備えている。
【００３３】
介護用浴槽１は、平面視して略矩形状であり、約２１０ｃｍ×８０ｃｍの大きさである。
【００３４】
支持架台２は、介護用浴槽１を移動可能とするキャスタ２ａと、介護用浴槽１を設置する際に固定するレベルアジャスタ２ｂと、キャスタ２ａおよびレベルアジャスタ２ｂに支持された基台２ｃと、基台２ｃを囲うように設けることで支持架台２を箱状としている枠体２ｄと、支柱４に沿って浴槽３を昇降させる昇降手段２ｆとを備えている。
【００３５】
基台２ｃは、入浴者が担架５に載った際に、入浴者と介護用浴槽１全体との合計の重量を支えることができる程度の強度を有している。基台２ｃは、キャスタ２ａとレベルアジャスタ２ｂとの高さを確保するために、中央部が低くなるように凹部２ｅが形成されている。この凹部２ｅに、浴槽３を昇降させるための昇降手段２ｆが配置されている。
【００３６】
基台２ｃに凹部２ｅを形成することで、昇降手段２ｆを設けても床面Ｆから浴槽３の上端部までの高さを低く抑えることができる。
【００３７】
枠体２ｄは、浴槽３が上昇した際には露出するので、浴槽３と同色とした繊維強化プラスチック（Fiber Reinforced Plastics：ＦＲＰ）で形成されている。
【００３８】
浴槽３は、箱状であり深さは８０ｃｍである。また、浴槽３は、枠体２ｄと同様にＦＲＰで形成されている。また、浴槽３の底面に設けられた貫通孔を支柱４が挿通している。貫通孔から湯が漏れないように、貫通孔の開口周囲に支柱４と摺動する部分がＯリングで形成された摺動部３ａが設けられている。図示しない昇降手段によるこの摺動部３ａが支柱４に摺動しながら浴槽３が昇降する。浴槽３の底面には、貯留した湯を排水するための排水口３ｂが設けられている。
【００３９】
支柱４は、直径６．５ｃｍの円柱状であり、ステンレス鋼で形成されている。
【００４０】
担架５は、入浴者の頭部を載せる枕部５ａと、上半身を載せる上体部５ｂと、下半身を載せる下体部５ｃとを備えている。枕部５ａと上体部５ｂとはピンで回動可能に接続されている。そして枕部５ａと上体部５ｂとは、位置決め部５ｈにより水平から３０°まで段階的に角度調整を可能としている。
【００４１】
上体部５ｂと下体部５ｃとはピンで回動可能に接続されている。上体部５ｂには、浴槽３が上昇すると浴槽３の底面に押されて上体部５ｂを押し上げる押し上げ棒５ｄが設けられている。
【００４２】
この押し上げ棒５ｄは、水平状態である担架５に仰臥状態の入浴者を載せて入浴させるときに、浴槽３を上昇させると上体部５ｂを押し上げ入浴者の上半身を起こして、体が不自由な入浴者の頭部が湯に浸かることを防止する。
【００４３】
押し上げ棒５ｄの下部には、浴槽３の底面と当接するローラ５ｅが設けられている。このローラ５ｅにより、押し上げ棒５ｄが浴槽３の底面に押し上げられ、押し上げ棒５ｄと浴槽３の底面との接する角度が変化してもローラ５ｅが回転することで、スムーズに上体部５ｂを押し上げることができる。また押し上げ棒５ｄは、長さを調整することができるように伸縮自在に形成されている。押し上げ棒５ｄの長さを調整することで、上体部５ｂとの下体部５ｃの角度を調整することができる。
【００４４】
担架５の両側部には入浴者をガードするＵ字状に形成された手摺り５ｆが設けられている。手摺り５ｆは、入浴の際に入浴者が介護用浴槽１の外側へ落下することを防止するとともに、入浴者がこの手摺り５ｆを把持することで安心感を与えることができる。手摺り５ｆは、入浴者が担架５へストレッチャーから移動する際には、邪魔にならないように、担架５の外側水平方向へ倒すことができる。また、担架５の上体部５ｂと下体部５ｃとには、入浴者を載せ洗浄や入浴する際に、担架５の上面に湯が溜まらないように貫通孔５ｇが多数設けられている。
【００４５】
水受盤６は、ステンレス製であり、平面視して矩形状に形成されている。水受盤６は、浴槽３を平面視した面積より広く形成されており、担架５に入浴者を載せて洗浄しても浴槽３内に洗浄水が浸入しないようにしている。
【００４６】
ここで水受盤６について図６に基づいて詳細に説明する。図６（ａ）に示すように、水受盤６は、担架５の下方に位置する際に、支柱４と押し上げ棒５ｄとに干渉しないように、切り欠き部６ｂが形成されている。切り欠き部６ｂを設けることで、水受盤６を浴槽３の担架５の下方に位置させた状態でも、支柱４および押し上げ棒５ｄと、水受盤６とが干渉しないので、受水盤６を担架５より広く形成することができる。
【００４７】
また、本実施の形態では支柱４を２本で担架５を支持しているが、支柱４を直径８．０ｃｍ程度の円柱状のステンレス鋼で形成すると、入浴者を載せた担架５を１本で支持することができるので、切り欠き部６ｂを押し上げ棒５ｄと２本の支柱４の３箇所から、押し上げ棒５ｄと１本の支柱の２箇所に減らすことができる。
【００４８】
図６（ｂ）および（ｃ）に示すように、水受盤６の縁部は上方に向かって徐々に広がるように４５°に傾斜した傾斜面６ａが形成されている。同図（ａ）に示されるように、切り欠き部６ｂには、第１のカバー６ｃと第２のカバー６ｄが取り付けることができる。この第１のカバー６ｃと第２のカバー６ｄとは、水受盤６を担架５に下方に位置させた状態で取り付ける。そして入浴者を洗浄すると、切り欠き部６ｂを塞ぐことができるので、洗浄水が浴槽３内に漏れることがない。
【００４９】
図１に示すように、水受盤６には、洗浄の際に溜まった湯を排水するための排水口６ｅが３つ設けられている。水受盤６の排水口を１つとすると、水受盤６を排水口へ向かって下るような傾斜を付ける必要がある。また、排水口が１つであれば水受盤６に溜まった洗浄水の排水に時間がかかる。排水口６ｅを複数としたことにより、水受盤６上に溜まった洗浄水を早く排出できる。この３箇所の排水口６ｅには、排水される洗浄水を集合させる集合ホース６ｆが接続されている。
【００５０】
図１および図４に示すように、スライド手段７は、支持架台２の下部に取り付けられたスライドアーム７ａと、平面視して略コ字状に形成され、スライドアーム７ａに取り付けられたスライド支持部７ｂと、スライド支持部７ｂの角部に立設され、上端部に水受盤６と接続される接続アーム７ｃとで構成される。
【００５１】
ここでスライド手段７について図７に基づいて詳細に説明する。図７（ａ）および同図（ｂ）に示すように、スライドアーム７ａは、断面が凹形状に形成されたアウタレール７ａ−１と、このアウタレール７ａ−１にボール７ａ−２を介して滑るように案内されてスライドするインナレール７ａ−３とから構成されたスライド部７ｄと、スライド部７ｄを２台連結する中継部材７ｅとで構成される。
アウタレール７ａ−１のそれぞれは、支持架台２とスライド支持部７ｂとにネジで取り付けられることで、支持架台２とスライド支持部７ｂとを接続している。
【００５２】
スライド支持部７ｂには、水受盤６の重みに耐えられず床面Ｆに当接して水平移動することが困難となったり、スライドアーム７ａが曲がったりしないように、２個の車輪７ｆが設けられている。
【００５３】
接続アーム７ｃは、水受盤６に、切り欠き部６ｂが形成された端辺とは反対側に接続されている。
【００５４】
以上のように構成される本発明の実施の形態に係る介護用浴槽の使用状態を図８から図１１に基づいて説明する。図８から図１１は、本発明の実施の形態に係る介護用浴槽の使用状態を説明する図である。
【００５５】
まず、介護用浴槽１の水受盤６を担架５の下方に位置するようにセットする。そして手摺り５ｆを外側に倒した状態とする。また、切り欠き部６ｂには、第１のカバー６ｃと第２のカバー６ｄとを取り付けておく。そして、図８に示すように、入浴者をストレッチャー１１に載せ、居室から介護用浴槽１が設置している部屋まで搬送してストレッチャー１１を介護用浴槽１の側方につける。
【００５６】
図９に示すように、入浴者１０をストレッチャー１１から介護用浴槽１の担架５へ移動させる。入浴者１０の移動が完了すると手摺り５ｆを起こす。入浴者１０は必要があれば、この手摺り５ｆを把持する。入浴者１０の移動が完了するとストレッチャー１１を、洗浄水などで濡れないように離間させる。
【００５７】
図示しないシャワーなどにより、介護者が入浴者１０の体を洗浄する。洗浄に使用された洗浄水は、水受盤６に直接または担架５に形成された複数の貫通孔５ｇを通過して水受盤６に落ちる。洗浄水は、水受盤６の３箇所の排水口６ｅのいずれかから排水され、集合ホース６ｆを経由して床面に設けられた排水口から排出される。
【００５８】
図１０に示されるように、入浴者１０の洗浄が完了すると、切り欠き部６ｂに取り付けた第１のカバー６ｃと第２のカバー６ｄとを取り外し、水受盤６をスライド手段７により水平方向に移動する。
【００５９】
図１１に示されるように、湯を貯留した浴槽３を上昇させる。入浴者１０が載っている担架５の上体部５ｂは、浴槽３の底面の上昇とともに、押し上げ棒５ｄにより水平から入浴者１０の上半身が起きあがるように傾斜している。この上体部５ｂの傾斜により入浴者１０の頭部が浴槽３の湯に浸からようにすることができる。
【００６０】
入浴が完了すると、浴槽３を下降させ、浴槽３内の湯を浴槽３の底面に設けた排水口３ｂから排水する。介護者は入浴者１０の体を拭き、手摺り５ｆを倒してストレッチャーを介護用浴槽１の側方へ引き寄せて入浴者１０をストレッチャーへ移動させる。
【００６１】
以上のように本発明の実施の形態に係る介護用浴槽によれば、入浴者を洗浄する際の洗浄水を受ける水受盤を、入浴者が洗浄する際には担架の下方に位置させ、入浴する際には水平方向へ移動させることにより、入浴者を介護用浴槽で洗浄することができるので、入浴者の載せ替え回数を減らすことができる。
【００６２】
次に、本発明の他の実施の形態に係る介護用浴槽を図１２および図１３に基づいて説明する。図１２は、本発明の他の実施の形態に係る介護用浴槽の断面図である。図１３は本発明の他の実施の形態に係る介護用浴槽のスライド手段を説明する図であり、（ａ）はスライド支持部とレールを説明する図、（ｂ）は同図（ａ）のＦ−Ｆ線矢視図である。なお、図１２および図１３において、図１から図７までに示される同じ構成のものは同符号を付して説明は省略する。
図１２に示すように、本発明の他の実施の形態に係る介護用浴槽１５は、スライド手段として支持架台２の下方の床面Ｆから側方へレール１６が付設され、このレール１６をスライド支持部７ｂに設けた４個の車輪７ｆが走行して水受盤６を水平に移動させるものである。
レール１６は、水受盤６が担架５の下方に位置させた状態から、介護用浴槽１５の側方へ位置させた状態となる範囲を移動することが可能な長さに形成されている。
図１３（ａ）および同図（ｂ）に示すように、レール１６には、断面が凹形状に形成された溝１６ａが設けられている。この溝１６ａをスライド支持部７ｂに設けられた４個の車輪７ｆが走行することで安定して水受盤６を直線状に移動させることができる。また、水受盤６の重量が重い場合でも、容易に移動させることができる。
【産業上の利用可能性】
【００６３】
本発明は、病院や、老人ホームなどの介護施設などで、身体が不自由で介護者を必要とする患者や老人などを入浴させる介護用浴槽に好適である。
【図面の簡単な説明】
【００６４】
【図１】本発明の実施の形態に係る介護用浴槽の斜視図である。
【図２】本発明の実施の形態に係る介護用浴槽の平面図である。
【図３】図２におけるＡ−Ａ線断面図である。
【図４】図２におけるＢ−Ｂ線断面図である。
【図５】図４において水受盤を担架の下方に位置させた状態の図である。
【図６】水受盤を説明する図であり、（ａ）は水受盤にカバーを取り付けた状態の平面図、（ｂ）は、同図（ａ）におけるＣ−Ｃ線断面図、（ｃ）は同図（ｂ）におけるｄ部拡大図である。
【図７】スライド手段を説明する図であり、（ａ）はスライドアームとスライド支持部を説明する平面図、（ｂ）は、同図（ａ）におけるＥ−Ｅ線断面図である。
【図８】介護用浴槽の使用状態を説明する図である。
【図９】介護用浴槽の使用状態を説明する図である。
【図１０】介護用浴槽の使用状態を説明する図である。
【図１１】介護用浴槽の使用状態を説明する図である。
【図１２】本発明の他の実施の形態に係る介護用浴槽の断面図である。
【図１３】本発明の他の実施の形態に係る介護用浴槽のスライド手段を説明する図であり、（ａ）はスライド支持部とレールを説明する図、（ｂ）は同図（ａ）のＦ−Ｆ線矢視図である。
【符号の説明】
【００６５】
１，１５  介護用浴槽
２  支持架台
２ａ  キャスタ
２ｂ  レベルアジャスタ
２ｃ  基台
２ｄ  枠体
２ｅ  凹部
２ｆ  昇降手段
３  浴槽
３ａ  摺動部
３ｂ  排水口
４  支柱
５  担架
５ａ  枕部
５ｂ  上体部
５ｃ  下体部
５ｄ  押し上げ棒
５ｅ  ローラ
５ｆ  手摺り
５ｇ  貫通孔
５ｈ  位置決め部
６  水受盤
６ａ  傾斜面
６ｂ  切り欠き部
６ｃ  第１のカバー
６ｄ  第２のカバー
６ｅ  排水口
６ｆ  集合ホース
７  スライド手段
７ａ  スライドアーム
７ａ−１  アウタレール
７ａ−２  ボール
７ａ−３  インナレール
７ｂ  スライド支持部
７ｃ  接続アーム
７ｄ  スライド部
７ｅ  中継部材
７ｆ  車輪
１０  入浴者
１１  ストレッチャー
１６  レール
１６ａ  溝
Ｆ  床面
【図１】
2005312618.tif 000003
【図２】
2005312618.tif 000004
【図３】
2005312618.tif 000005
【図４】
2005312618.tif 000006
【図５】
2005312618.tif 000007
【図６】
2005312618.tif 000008
【図７】
2005312618.tif 000009
【図８】
2005312618.tif 000010
【図９】
2005312618.tif 000011
【図１０】
2005312618.tif 000012
【図１１】
2005312618.tif 000013
【図１２】
2005312618.tif 000014
【図１３】
2005312618.tif 000015